(57)【特許請求の範囲】
【請求項１】
装置であって、
無線周波数集積回路（ＲＦＩＣ）を備える第１の受信機、ここで、前記第１の受信機は、所望の受信信号帯域を有する、と、
ベースバンド集積回路（ＩＣ）、ここで、前記ベースバンドＩＣは、前記ＲＦＩＣとは別のものである、と、
前記ＲＦＩＣと、前記ベースバンドＩＣとの間でルーティングされる、ＡＤＣサンプルクロック信号と、
サンプリング周波数を動的に調整して、１つ以上の潜在的な干渉信号が、前記第１の受信機の所望の受信信号帯域と干渉するのを回避するように構成されている、少なくとも１つのプロセッサと、
を具備する装置であり、ここにおいて、
前記１つ以上の潜在的な干渉信号は、第２の受信機、同じ場所に配置されている送信機、または、前記ＡＤＣサンプルクロック信号によって、少なくとも部分的に発生され、
前記少なくとも１つのプロセッサは、
前記１つ以上の潜在的な干渉信号成分の源と周波数とを含む干渉情報を決定する干渉決定モジュールと、
前記１つ以上の潜在的な干渉信号成分のうちの少なくとも１つが、前記第１の受信機の動作と実質的に干渉しないように、前記干渉情報に基づいて、所望のサンプリング周波数を決定するサンプリング周波数選択モジュールと、
前記サンプリング周波数を、前記所望のサンプリング周波数に設定するサンプリング周波数調整モジュールと、
を備える。
【請求項２】
前記ベースバンドＩＣは、アナログデジタルコンバータ（ＡＤＣ）を含み、
前記ＡＤＣサンプルクロック信号は、前記ＲＦＩＣ上で発生され、前記ＡＤＣにルーティングされる、請求項１記載の装置。
【請求項３】
前記ＲＦＩＣはＡＤＣを含み、
前記ＡＤＣサンプルクロック信号は、前記ＲＦＩＣ上で発生され、前記ベースバンドＩＣにルーティングされる、請求項１記載の装置。
【請求項４】
前記ＲＦＩＣはＡＤＣを含み、
前記ＡＤＣサンプルクロック信号は、前記ベースバンドＩＣ上で発生され、前記ＲＦＩＣにルーティングされる、請求項１記載の装置。
【請求項５】
前記１つ以上の潜在的な干渉信号成分のうちの少なくとも１つは、ジャマー信号であり、
前記ジャマー信号をサンプリングすることは、前記ジャマー信号が、前記第１の受信機の所望の信号帯域へとエイリアスすることを潜在的にもたらし、
前記サンプリング周波数選択モジュールは、前記ＡＤＣ入力における、前記ジャマー信号のスペクトル、モジュロＦsが、前記所望の信号スペクトルに実質的にオーバーラップしないように、計算またはルックアップテーブルを通して、サンプリング周波数Ｆsを決定する、
ように構成されている、請求項１記載の装置。
【請求項６】
前記第１の受信機は、ゼロＩＦアーキテクチャを有し、前記サンプリング周波数は、ＦJ ｍｏｄ Ｆsが、ＢＷJ＋ＢＷsの２分の１より大きくなるように決定され、ここでＦJはジャマーの周波数であり、ＢＷJは前記ジャマーの帯域幅であり、ＢＷsは前記信号の帯域幅である、請求項５記載の装置。
【請求項７】
少なくとも１つの前記潜在的な干渉信号成分の源は、前記第１の受信機のサンプリング周波数の高調波であり、
前記サンプリング周波数選択モジュールは、
何れの複数の
【数１】
0006033833.tif 000027
も、前記所望の信号スペクトル内に入ることのないように、計算またはルックアップテーブルを通して、サンプリング周波数を決定するように構成されており、ここで、Ｆsは前記第１の受信機のサンプリング周波数であり、Ｎは正の整数である、請求項１記載の装置。
【請求項８】
前記潜在的な干渉信号成分の少なくとも１つは、前記第１の受信機のローカルオシレータ（ＬＯ）の１つ以上のスプリアス成分によって、前記第１の受信機の所望の信号ＩＦ帯域へとダウンコンバートされてもよく、前記ＬＯの１つ以上のスプリアス成分は、前記第１の受信機のサンプリング周波数の高調波であり、
前記サンプリング周波数選択モジュールは、
周波数オフセット
【数２】
0006033833.tif 000028
における、ジャマーとＬＯスプリアス成分との混合積が、前記所望の信号スペクトルと実質的にオーバーラップしないスペクトルを持つように、計算またはルックアップテーブルを通して、サンプリング周波数Ｆsを決定するように構成されている、請求項１記載の装置。
【請求項９】
前記サンプリング周波数選択モジュールは、前記第１の受信機が新しいチャネルに同調されるときにはいつでも、サンプリング周波数を決定するようにさらに構成されている、請求項１記載の装置。
【請求項１０】
少なくとも１つの送信機をさらに具備し、
前記潜在的な干渉信号成分の少なくとも１つは、少なくとも１つの送信機から前記第１の受信機へと結合される、請求項１記載の装置。
【請求項１１】
少なくとも１つの第２の受信機をさらに具備し、
前記潜在的な干渉信号成分の少なくとも１つは、前記第２の受信機のＡＤＣ回路から前記第１の受信機へと結合される、請求項１記載の装置。
【請求項１２】
少なくとも１つの前記潜在的な干渉信号成分の源は、前記第２の受信機のサンプリング周波数の高調波であり、
前記サンプリング周波数選択モジュールは、
何れの複数の
【数３】
0006033833.tif 000029
も、前記第１の受信機の所望の信号スペクトル内に入ることのないように、計算またはルックアップテーブルを通して、サンプリング周波数を決定するように構成されており、ここで、
【数４】
0006033833.tif 000030
は前記少なくとも１つの第２の受信機のサンプリング周波数であり、Ｎは正の整数である、請求項１１記載の装置。
【請求項１３】
前記潜在的な干渉信号成分の少なくとも１つは、前記第１の受信機のローカルオシレータ（ＬＯ）の１つ以上のスプリアス成分によって、前記第１の受信機の所望の信号ＩＦ帯域へとダウンコンバートされてもよく、前記１つ以上のＬＯのスプリアス成分は、前記少なくとも１つの第２の受信機のサンプリング周波数の高調波であり、
前記サンプリング周波数選択モジュールは、
周波数オフセット
【数５】
0006033833.tif 000031
における、ジャマーとＬＯスプリアス成分との前記第１の受信機中での混合積が、前記第１の受信機の所望の信号スペクトルと実質的にオーバーラップしないスペクトルを持つように、計算またはルックアップテーブルを通して、サンプリング周波数
【数６】
0006033833.tif 000032
を決定するように構成されている、請求項１１記載の装置。
【請求項１４】
アナログデジタルコンバータ（ＡＤＣ）サンプルクロックが、別々の無線周波数（ＲＦ）と、ベースバンド集積回路（ＩＣ）との間でルーティングされるシステムにおいて受信機干渉を回避する方法であって、
前記方法は下記を含む、
第１の受信機と潜在的に干渉する１つ以上の所望でない信号の源と周波数とを含む干渉情報を決定すること、ここにおいて、
前記１つ以上の所望でない信号は、第２の受信機、同じ場所に配置される送信機、または、前記ＡＤＣサンプルクロックによって、少なくとも部分的に発生され、
前記システムは、第２の受信機、送信機、または、両方を含む、と、
前記１つ以上の所望でない信号が、前記第１の受信機の所望の受信信号帯域と干渉するのを回避するために、サンプリング周波数を動的に調整すること、ここにおいて、前記動的に調整することは、
前記１つ以上の所望でない信号のうちの少なくとも１つが、前記第１の受信機と実質的に干渉しないように、前記干渉情報に基づいて、所望のサンプリング周波数を決定することと、
前記サンプリング周波数を、前記所望のサンプリング周波数に設定することと、
を含む。
【請求項１５】
前記ベースバンドＩＣは、アナログデジタルコンバータ（ＡＤＣ）を含み、
前記ＲＦＩＣ上で、ＡＤＣサンプルクロック信号を発生させることと、
前記ＡＤＣサンプルクロック信号を、１つ以上のアナログデータ信号とともに、前記ＡＤＣにルーティングすることとをさらに含む、請求項１４記載の方法。
【請求項１６】
前記ＲＦＩＣはＡＤＣを含み、
前記ＲＦＩＣ上で、ＡＤＣサンプルクロック信号を発生させることと、
前記ＡＤＣサンプルクロック信号を、１つ以上のデジタルデータ信号とともに、前記ベースバンドＩＣにルーティングすることとをさらに含む、請求項１４記載の方法。
【請求項１７】
前記ＲＦＩＣはＡＤＣを含み、
前記ベースバンドＩＣ上で、ＡＤＣサンプルクロック信号を発生させることと、
前記ＡＤＣサンプルクロック信号を、前記ＲＦＩＣにルーティングすることと、
をさらに含む、請求項１４記載の方法。
【請求項１８】
前記第１の受信機は、１つ以上の送信機と同じ場所に配置されており、
前記所望でない信号のうちの少なくとも１つは、同じ場所に配置される送信機から前記第１の受信機へと結合される、請求項１４記載の方法。
【請求項１９】
前記サンプリング周波数を決定することは、同じ場所に配置される送信機の少なくとも１つが、新しいチャネルに同調されるときにはいつでも実行される、請求項１８記載の方法。
【請求項２０】
前記第１の受信機は、１つ以上の第２の受信機と同じ場所に配置されており、
前記所望でない信号のうちの少なくとも１つは、同じ場所に配置される第２の受信機のＡＤＣ関連の回路から前記第１の受信機へと結合され、ここにおいて、前記ＡＤＣ関連の回路は、前記ＡＤＣのコア回路に加えて、ＡＤＣ動作に本質的な、何らかのサンプルクロック発生回路、および、入出力バッファ回路を含む、請求項１４記載の方法。
【請求項２１】
同じ場所に配置される少なくとも１つの第２の受信機の前記サンプリング周波数を決定することは、前記第２の受信機が新しいチャネルに同調されるときにはいつでも実行される、請求項２０記載の方法。
【請求項２２】
前記１つ以上の所望でない信号のうちの少なくとも１つは、ジャマー信号であり、
前記ジャマー信号をサンプリングすることは、前記ジャマー信号が、前記第１の受信機の所望の信号帯域へとエイリアスすることを潜在的にもたらし、
前記所望のサンプリング周波数を決定することは、
前記ＡＤＣ入力における、前記ジャマー信号のスペクトル、モジュロＦsが、前記所望の信号スペクトルに実質的にオーバーラップしないように、計算またはルックアップテーブルを通して、サンプリング周波数Ｆsを決定することを含む、請求項１４記載の方法。
【請求項２３】
前記第１の受信機は、ゼロＩＦアーキテクチャを有し、前記サンプリング周波数は、ＦJ ｍｏｄ Ｆsが、ＢＷJ＋ＢＷsの２分の１より大きくなるように決定され、ここでＦJはジャマーの周波数であり、ＢＷJは前記ジャマーの帯域幅であり、ＢＷsは前記信号の帯域幅である、請求項２２記載の方法。
【請求項２４】
少なくとも１つの前記所望でない信号の源は、前記第１の受信機のサンプリング周波数の高調波であり、
前記所望のサンプリング周波数を決定することは、
何れの複数の
【数７】
0006033833.tif 000033
も、前記所望の信号スペクトル内に入ることのないように、計算またはルックアップテーブルを通して、サンプリング周波数を決定することを含み、ここで、Ｆsは前記第１の受信機のサンプリング周波数であり、Ｎは正の整数である、請求項１４記載の方法。
【請求項２５】
少なくとも１つの前記所望でない信号の源は、同じ場所に配置される第２の受信機の前記サンプリング周波数の高調波であり、
前記第２の受信機の所望のサンプリング周波数を決定することは、
何れの複数の
【数８】
0006033833.tif 000034
も、前記第１の受信機の所望の信号スペクトル内に入ることのないように、計算またはルックアップテーブルを通して、サンプリング周波数を決定することを含み、ここで、
【数９】
0006033833.tif 000035
は前記同じ場所に配置される第２の受信機のサンプリング周波数であり、Ｎは正の整数である、請求項１４記載の方法。
【請求項２６】
前記所望でない信号の少なくとも１つは、前記第１の受信機のローカルオシレータ（ＬＯ）の１つ以上のスプリアス成分によって、前記第１の受信機の所望の信号ＩＦ帯域へとダウンコンバートされ、前記ＬＯの１つ以上のスプリアス成分は、前記第１の受信機のサンプリング周波数の高調波であり、
前記所望のサンプリング周波数を決定することは、
周波数オフセット
【数１０】
0006033833.tif 000036
における、ジャマーとＬＯスプリアス成分との混合積が、前記所望の信号ＩＦ帯域と実質的にオーバーラップしないスペクトルを持つように、計算またはルックアップテーブルを通して、サンプリング周波数Ｆsを決定することを含む、請求項１４記載の方法。
【請求項２７】
前記所望でない信号のうちの少なくとも１つは、前記第１の受信機のローカルオシレータ（ＬＯ）の１つ以上のスプリアス成分によって、前記第１の受信機の所望の信号ＩＦ帯域へとダウンコンバートされ、前記１つ以上のＬＯのスプリアス成分は、同じ場所に配置される第２の受信機の前記サンプリング周波数の高調波であり、
前記第２の受信機の所望のサンプリング周波数を決定することは、
周波数オフセット
【数１１】
0006033833.tif 000037
における、ジャマーとＬＯスプリアス成分との前記第１の受信機中での混合積が、前記所望の信号ＩＦ帯域と実質的にオーバーラップしないスペクトルを持つように、計算またはルックアップテーブルを通して、サンプリング周波数
【数１２】
0006033833.tif 000038
を決定することを含む、請求項１４記載の方法。
【請求項２８】
前記サンプリング周波数を決定することは、前記第１の受信機が新しいチャネルに同調されるときにはいつでも実行される、請求項１４記載の方法。
【請求項２９】
コンピュータプログラムを記憶したコンピュータ読取可能記憶媒体であって、ＲＦＩＣと、別のベースバンドＩＣとの間でルーティングされるＡＤＣサンプルクロック信号にインターフェースする第１の受信機にインターフェースするプロセッサを備え、前記コンピュータプログラムは、下記を備える、
前記プロセッサに、前記第１の受信機と潜在的に干渉する、１つ以上の所望でない信号の源と周波数とを含む干渉情報を決定させるための第１の組のコード、ここにおいて、前記１つ以上の所望でない信号は、第２の受信機、同じ場所に配置される送信機、または、前記ＡＤＣサンプルクロック信号によって、少なくとも部分的に発生される、と、
前記プロセッサに、前記１つ以上の所望でない信号が、前記第１の受信機の所望の受信信号帯域と干渉するのを回避するために、サンプリング周波数を動的に調整させるための第２の組のコード、ここにおいて、前記第２の組のコードは、
前記プロセッサに、前記１つ以上の所望でない信号のうちの少なくとも１つが、前記第１の受信機と実質的に干渉しないように、前記干渉情報に基づいて、所望のサンプリング周波数を決定させるための第３の組のコードと、
前記プロセッサに、前記サンプリング周波数を、前記所望のサンプリング周波数に設定させるための第４の組のコードと、
を含む。
【請求項３０】
装置であって、前記装置は下記を備える、
ＲＦＩＣと、前記ＲＦＩＣとは別のベースバンドＩＣとを有する第１の受信機、ここにおいて、クロック信号は、前記ＲＦＩＣと、前記ベースバンドＩＣとの間でルーティングされる、と、
前記第１の受信機と潜在的に干渉する、１つ以上の潜在的な干渉信号の源と周波数とを含む干渉情報を決定する手段、ここにおいて、前記１つ以上の潜在的な干渉信号は、第２の受信機、同じ場所に配置される送信機、または、クロック信号によって、少なくとも部分的に発生される、と、
前記第１の受信機のサンプリング周波数を決定して、前記１つ以上の潜在的な干渉信号が、前記第１の受信機の所望のベースバンド信号帯域幅を占有するのを回避する手段と、
前記１つ以上の潜在的な干渉信号が、前記第１の受信機の所望の受信信号帯域と干渉するのを回避するために、サンプリング周波数を動的に調整する手段、ここにおいて、前記動的に調整する手段は、
前記１つ以上の潜在的な干渉信号のうちの少なくとも１つが、前記第１の受信機と実質的に干渉しないように、前記干渉情報に基づいて、所望のサンプリング周波数を決定する手段と、
前記サンプリング周波数を、前記所望のサンプリング周波数に設定する手段と、
を備える。
【発明の詳細な説明】
【米国法第３５部第１１９条の下での優先権主張】
【０００１】
本出願は、２００９年６月１１日に出願され、“ＡＤＣサンプリングレートを動的にスケーリングして、受信機干渉を回避するための装置と方法”と題された米国仮出願第６１／１８６，３０８号に対して、優先権を主張している。上記に参照した出願は、本譲受人に譲渡され、ここで参照により明示的に組み込まれている。
【分野】
【０００２】
本開示は、一般的に通信に関連し、より詳細には、アナログデジタルコンバータのサンプリングレートをスケーリングするための技術に関連する。
【背景】
【０００３】
ワイヤレス通信システムは、ブロードキャスト、音声、ビデオ、パケットデータ、メッセージング等のような、さまざまな通信サービスを提供するために広く配備されている。これらのワイヤレスシステムは、ブロードキャストシステム、セルラシステム等を含む。ワイヤレスシステムは、ジャマーが存在するかもしれない環境において動作してもよい。ジャマーは、所望のシステムからの信号の検出および取得の失敗、デコーディング性能の低下等のような、さまざまな有害な影響をもたらすかもしれない。
【０００４】
受信機において、所望の信号を通過させながら、帯域外ジャマーを抑制するために、アンテナに結合されたアナログフィルタを使用することが多い。アナログデジタル変換の前に残っている何らかの残余ジャマーエネルギーは、信号帯域へと潜在的にエイリアスし得る。このことは、受信機感度の低下、ビットエラーレートの低下、および／または、他のタイプの信号劣化をもたらすかもしれない。
【０００５】
アナログデジタルコンバータ（ＡＤＣ）と、ＡＤＣサンプリングレートにおいてクロックされている、他のデジタルロジックもまた、受信機性能を低下させるかもしれない。例えば、サンプルクロックは、ユーザデバイス中のアクティブな受信機のうちの１つのＲＦ信号帯域幅内に入る高調波を有しているかもしれない。サンプルクロックドメイン中のデジタル信号は、高感度低雑音増幅器（ＬＮＡ）および／またはミキサー回路に結合されていてもよく、ここで、高調波成分は、帯域内ジャマーを生成する。
【０００６】
別の共通の問題は、サンプルクロックドメイン中のサンプリングクロックまたは他のデジタル信号が、受信機シンセサイザーへと結合されているかもしれず、これにより、ＶＣＯ制御電圧を変調することである。結果として、ＶＣＯ出力中に、スプリアス成分がもたらされるかもしれない。これらのスプリアス成分は、受信機出力における持続波（ＣＷ）ジャマー、および／または、ジャマーエイリアシングに似ている、他のブロードバンド干渉を作り出すかもしれない。
【０００７】
技術的に、ジャマーエイリアシング、および、他の類似の干渉を回避するための改善された技術に対する必要性がある。
【概要】
【０００８】
以下では、１つ以上の観点の基本的な理解をもたらすために、このような観点の簡潔な概要を提示する。この概要は、すべての企図されている観点の幅広い全体像ではなく、あらゆる観点のうちのキーとなる、または、重要なエレメントを識別することや、あるいは、何らかの、または、あらゆる観点の範囲を描写することのいずれをも意図していない。その唯一の目的は、後で提示することになる、より詳細な説明に対する前置きとして、簡潔な形態で１つ以上の観点のいくつかの概念を提示することである。
【０００９】
１つの観点にしたがうと、システム中で受信機干渉を回避する方法は、プロセッサによって、第１の受信機の所望のベースバンド信号帯域幅を占有する１つ以上の潜在的な干渉信号を回避するために、第１の受信機のサンプリング周波数を決定することと、１つ以上の潜在的な干渉信号のうちの少なくとも１つが、第１の受信機と実質的に干渉しないように、所望のサンプリング周波数を選択することと、サンプリング周波数を、所望のサンプリング周波数に設定することとを含み、プロセッサは、無線周波数集積回路（ＲＦＩＣ）と、ＲＦＩＣとは別のベースバンド集積回路（ＩＣ）とを有する第１の受信機にインターフェースしており、クロック信号は、ＲＦＩＣと、ベースバンドＩＣとの間でルーティングされる。
【００１０】
１つの観点にしたがうと、ＲＦＩＣと、ＲＦＩＣとは別のベースバンドＩＣとを有する第１の受信機にインターフェースしている少なくとも１つのプロセッサにおいて、クロック信号は、ＲＦＩＣと、ベースバンドＩＣとの間でルーティングされ、第１の受信機との干渉を回避するように構成されている、少なくとも１つのプロセッサは、第１の受信機と潜在的に干渉する、１つ以上の所望でない信号の周波数を決定する第１のモジュールと、１つ以上の潜在的な干渉信号成分のうちの少なくとも１つが、第１の受信機と実質的に干渉しないように、所望のサンプリング周波数を選択する第２のモジュールと、サンプリング周波数を、所望のサンプリング周波数に設定する第３のモジュールとを具備する。
【００１１】
１つの観点にしたがうと、コンピュータ読取可能媒体を備えるコンピュータプログラム製品において、コンピュータ読取可能媒体は、ＲＦＩＣと、ＲＦＩＣとは別のベースバンドＩＣとを有する第１の受信機にインターフェースするプロセッサを備え、コンピュータ読取可能媒体は、コンピュータに、第１の受信機と潜在的に干渉する、１つ以上の所望でない信号の周波数を決定させるための第１の組のコードと、コンピュータに、１つ以上の潜在的な干渉信号成分のうちの少なくとも１つが、第１の受信機と実質的に干渉しないように、所望のサンプリング周波数を選択させるための第２の組のコードと、コンピュータに、サンプリング周波数を、所望のサンプリング周波数に設定させるための第３の組のコードとを含む。
【００１２】
１つの観点にしたがうと、ＲＦＩＣと、ＲＦＩＣとは別のベースバンドＩＣとを有する第１の受信機とを備える装置は、第１の受信機のサンプリング周波数を決定して、１つ以上の潜在的な干渉信号が、第１の受信機の所望のベースバンド信号帯域幅を占有するのを回避する手段と、１つ以上の潜在的な干渉信号のうちの少なくとも１つが、第１の受信機と実質的に干渉しないように、所望のサンプリング周波数を選択する手段と、サンプリング周波数を、所望のサンプリング周波数に設定する手段とを具備し、クロック信号は、ＲＦＩＣと、ベースバンドＩＣとの間でルーティングされる。
【００１３】
１つの観点にしたがうと、装置は、ＲＦＩＣを備える第１の受信機と、ベースバンドＩＣと、ＲＦＩＣと、ベースバンドＩＣとの間でルーティングされる、クロック信号と、サンプリング周波数を動的に調整して、１つ以上の潜在的な干渉信号が、第１の受信機の所望の受信信号帯域と干渉するのを回避するように構成されている、少なくとも１つのプロセッサとを具備し、第１の受信機は、所望の受信信号帯域を有しており、ベースバンドＩＣは、ＲＦＩＣとは別のものである装置。
【００１４】
前述の、および、関連する目的を達成するために、１つ以上の観点は、以下で完全に記述し、特許請求の範囲中で特に示す特徴を含む。以下の説明、および、添付の図面は、１つ以上の観点の特定の例示的な特徴を詳細に述べる。これらの特徴は、さまざまな観点の原則が用いられてもよい、さまざまな方法のうちのいくつかを示しており、この記述は、あらゆるこのような観点と、それらの均等物を含むことが意図されている。
【図面の簡単な説明】
【００１５】
【図１】図１は、ここで記述するさまざまなシステムおよび方法に関連して用いられてもよいワイヤレスデバイスのブロック図を図示する。
【図２Ａ】図２Ａは、ここで記述するさまざまなシステムおよび方法に関連して用いられてもよいさまざまな装置を図示する。
【図２Ｂ】図２Ｂは、ここで記述するさまざまなシステムおよび方法に関連して用いられてもよいさまざまな装置を図示する。
【図２Ｃ】図２Ｃは、ここで記述するさまざまなシステムおよび方法に関連して用いられてもよいさまざまな装置を図示する。
【図３】図３は、ここで開示するさまざまな観点にしたがったプロセッサ／制御装置のブロック図を図示する。
【図４】図４は、ここで開示するさまざまな観点にしたがったワイヤレスデバイスの例を図示する。
【図５】図５は、ここで開示するさまざまな観点にしたがったワイヤレスデバイスの別の例を図示する。
【図６】図６は、ここで開示するさまざまな観点にしたがったワイヤレスデバイスのさらに別の例を図示する。
【図７Ａ】図７Ａは、図５のワイヤレスデバイスに関係する信号スペクトルを図示する。
【図７Ｂ】図７Ｂは、図５のワイヤレスデバイスに関係する信号スペクトルを図示する。
【図７Ｃ】図７Ｃは、図５のワイヤレスデバイスに関係する信号スペクトルを図示する。
【図８】図８は、受信機干渉を回避するための方法の１つの観点を図示する。
【図９】図９は、サンプリング周波数を決定および調整するためのシステムの例を図示する。
【００１６】
開示する観点を、以下で、添付の図面に関連して記述し、添付の図面は、開示の観点を制限するためでなく、開示の観点を図示するために提供され、ここで、同一の名称は、同一のエレメントを指す。
【発明の詳細な説明】
【００１７】
図面に対する参照とともに、さまざまな実施形態をここで説明する。以下の説明では、説明の目的で、１つ以上の観点の完全な理解をもたらすために、数々の特定の詳細を述べる。しかしながら、これらの特定の詳細なしで、このような観点を実施してもよいことが明らかであってもよい。
【００１８】
この出願において使用するように、用語“コンポーネント”と、“モジュール”と、“システム”と、これらに類する物とは、コンピュータ関連のエンティティ、すなわち、これらに限定されないが、ハードウェアや、ファームウェアや、ハードウェアとソフトウェアの組み合わせや、ソフトウェアや、または、実行中のソフトウェアのいずれかを含むことが意図されている。例えば、コンポーネントは、これらに制限されないが、プロセッサ上で実行されているプロセス、プロセッサ、オブジェクト、実行ファイル（executable）、実行スレッド、プログラム、および／または、コンピュータであってもよい。説明のために、コンピューティングデバイス上で実行されているアプリケーションと、コンピューティングデバイスとの両方が、コンポーネントであってもよい。１つ以上のコンポーネントは、プロセスおよび／または実行スレッド内に駐在することができ、コンポーネントは、１つのコンピュータ上に配置されていてもよく、および／または、２つ以上のコンピュータの間で分散されていてもよい。さらに、これらのコンポーネントは、そこに記憶されたさまざまなデータ構造を持っているさまざまなコンピュータ読取可能媒体から実行されることができる。コンポーネントは、ローカルおよび／またはリモートのプロセスを介して通信してもよく、例えば、ローカルシステム、分散システムにおいて、別のコンポーネントと対話している１つのコンポーネントからのデータのような、１つ以上のデータパケットを持っている信号にしたがって、および／または、インターネットのようなネットワークを介して他のシステムと信号によって、通信してもよい。
【００１９】
さらに、ワイヤード端末またはワイヤレス端末であってもよい端末に関連して、ここで、さまざまな観点を記述する。端末は、システムや、デバイスや、加入者ユニットや、加入者局や、移動局や、移動体や、移動体デバイスや、リモート局や、リモート端末や、アクセス端末や、ユーザ端末や、端末や、通信デバイスや、ユーザエージェントや、ユーザデバイスや、または、ユーザ装置（ＵＥ）と呼ばれてもよい。ワイヤレス端末は、セルラ電話機や、衛星電話機や、コードレス電話機や、セッション開始プロトコル（ＳＩＰ）電話機や、ワイヤレスローカルループ（ＷＬＬ）局や、パーソナルデジタルアシスタント（ＰＤＡ）や、ワイヤレス接続能力を有するハンドヘルドデバイスや、コンピューティングデバイスや、または、ワイヤレスモデムに接続された、他の処理デバイスであってもよい。さらに、基地局に関連して、ここで、さまざまな観点を記述する。基地局は、ワイヤレス端末と通信するために利用されることができ、アクセスポイント、ノードＢ、または、他の何らかの用語として呼ばれてもよい。
【００２０】
さらに、用語“または（ｏｒ）”は、排他的な“または”というよりはむしろ、包括的な“または”を意味することが意図されている。すなわち、そうではないとして指定されていない限り、または、コンテキストから明らかでない限り、フレーズ“ＸがＡまたはＢを用いる”は、自然な包括的順列の何らかの物を意図することが意図されている。すなわち、フレーズ“ＸがＡまたはＢを用いる”は、以下の例の何らかのものに適合する：ＸがＡを用いる；ＸがＢを用いる；または、ＸがＡおよびＢを用いる。さらに、この出願および添付の特許請求の範囲において使用される、冠詞“ａ”および“ａｎ”は、そうではないとして指定されていない限り、あるいは、単数形を指していることがコンテキストから明らかでない限り、“１つ以上の”を意図するとして、一般的に解釈すべきである。
【００２１】
ここで開示する技術は、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用されることができる。用語“システム”および“ネットワーク”は、ここで、相互交換可能に使用することが多い。ＣＤＭＡシステムは、ユニバーサル地上無線アクセス（ＵＴＲＡ）、ｃｄｍａ２０００等のような無線技術を実現してもよい。ＵＴＲＡは、広帯域−ＣＤＭＡ（Ｗ−ＣＤＭＡ）、および、ＣＤＭＡの他の変種を含んでもよい。さらに、ｃｄｍａ２０００は、ＩＳ−２０００、ＩＳ−９５、および、ＩＳ−８５６標準規格をカバーする。ＴＤＭＡシステムは、移動体通信のためのグローバルシステム（ＧＳＭ（登録商標））のような無線技術を実現してもよい。ＯＦＤＭＡシステムは、進化ＵＴＲＡ（Ｅ−ＵＴＲＡ）、ウルトラ移動体ブロードバンド（ＵＭＢ）、ＩＥＥＥ８０２．１１（ＷｉＦｉ）、ＩＥＥＥ８０２．１６（ＷｉＭＡＸ）、ＩＥＥＥ８２０．２０、フラッシュＯＦＤＭ等のような無線技術を実現してもよい。ＵＴＲＡと、Ｅ−ＵＴＲＡは、ユニバーサル移動体電気通信システム（ＵＭＴＳ）の一部である。３ＧＰＰ長期進化（ＬＴＥ）は、Ｅ−ＵＴＲＡを使用するＵＭＴＳのリリースであり、これは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥ、および、ＧＳＭは、“第３世代パートナーシッププロジェクト”（３ＧＰＰ）と称される組織からの文書に記述されている。さらに、ｃｄｍａ２０００、および、ＵＭＢは、“第３世代パートナーシッププロジェクト２”（３ＧＰＰ２）と称される組織からの文書に記述されている。さらに、このようなワイヤレス通信システムは、対になっていない無許可のスペクトル、８０２．ｘｘワイヤレスＬＡＮ、ブルートゥース（登録商標）、および、他の何らかの短距離または長距離ワイヤレス通信技術を使用することの多い、ピアツーピア（例えば、モバイル対モバイル）アドホックネットワークシステムを追加的に含んでもよい。ここで記述する技術は、ＭｅｄｉａＦＬＯ、ＤＶＢ−Ｈ、ＩＳＤＢ−Ｔ、ＤＭＢ、および／または、他のブロードキャスト受信機プロトコルのようなブロードキャストアプリケーションに適用されてもよい。
【００２２】
無線ナビゲーションアプリケーションにおいて、ここで記述した技術をまた使用してもよい。例えば、ＧＮＳＳシステムを含むナビゲーション受信機プロトコルを使用してもよく、ＧＮＳＳシステムは、例えば、ＧＰＳ、ＧＬＯＮＡＳＳ、Ｃｏｍｐａｓｓ、および、ＧａｌｉｌｅｏのようなＧＮＳＳシステムとともに、ＱＺＳＳ（日本）、ならびに、ＩＲＮＳＳ（インド）のような地域システムを含む。
【００２３】
数多くのデバイス、コンポーネント、モジュール、および、これらに類する物を含んでもよいシステムに関して、さまざまな観点または特徴が提示されることになる。さまざまなシステムは、追加的なデバイス、コンポーネント、モジュール等を含んでもよく、および／または、図面に関して説明する、すべてのデバイス、コンポーネント、モジュール等を含んでいなくてもよいことが理解され、認識されるだろう。これらのアプローチの組み合わせがまた使用されてもよい。
【００２４】
図１は、ワイヤレスデバイス１００のブロック図を示す。送信パス上で、ワイヤレスデバイス１００によって送られることになる、トラフィックデータとシグナリングは、エンコーダ１０２によって処理（例えば、フォーマット、エンコード、および、インターリーブ）され、変調器１０４によってさらに処理（例えば、変調、拡散、チャネル化、および、スクランブル）されて、データチップのストリームを取得する。送信機ユニット１０６は、次に、データチップストリームを調整して、アップリンク信号を発生させ、これはアンテナ１０８を介して送信される。受信パス上で、ＷＷＡＮ中の基地局、および／または、ＷＬＡＮ中のアクセスポイントによって送信されたダウンリンク信号が、アンテナ１０８によって受信され、受信機ユニット１１２に提供される。受信機ユニット１１２は、受信信号を調整（例えば、フィルタ、増幅、および、周波数ダウンコンバート）して、調整された信号をさらにデジタル化して、データサンプルを得る。復調器１１４は、データサンプルを処理（例えば、デスクランブル、デスプレッド、チャネル化、および、復調）して、シンボルを得る。デコーダ１１６は、シンボルをさらに処理（例えば、デインターリーブおよびデコード）して、デコードされたデータを得る。エンコーダ１０２、変調器１０４、復調器１１４、および、デコーダ１１６は、モデムプロセッサによって実現されてもよい。これらのユニットは、ワイヤレスデバイス１００がそれとともに通信するＷＷＡＮまたはＷＬＡＮシステムによって使用される技術にしたがって処理を実行する。
【００２５】
エンコーダ１０２、変調器１０４、復調器１１４、および、デコーダ１１６は、モデム１０１のコンポーネントであってもよい。送信機１０６と受信機１１２は、ＲＦＩＣ１０７上に位置していてもよい。いくつかの観点にしたがうと、送信機１０６と受信機１１２は、それぞれ別々のＲＦＩＣ上に位置していてもよい。
【００２６】
プロセッサ／制御装置１３０は、ワイヤレスデバイス１００内のさまざまなユニットの動作を指示する。プロセッサ／制御装置１３０は、受信機のサンプリング周波数を計算および動的に調整するためのここで記述する処理を実現してもよい。メモリユニット１３２は、プロセッサ／制御装置１３０と他のユニットによって使用されるプログラムコードとデータを記憶する。
【００２７】
図２Ａ−２Ｃは、ここで記述するシステムと方法を実現するためのさまざまな装置を図示するブロック図である。図２Ａに図示したように、ＲＦＩＣ２１０は、ベースバンドＩＣ２４０に結合されている。ＲＦＩＣ１２０は、増幅器２１２、ミキサー２１４、フィルタ２１６、オシレータ２１８、および、分周器２２０を含んでいてもよい。ベースバンドＩＣ２４０は、ＡＤＣ２４２およびモデム２４４を含んでもよい。図２Ａに図示したように、アナログデータが、ＲＦＩＣ２１０とベースバンドＩＣ２４０の両方を保持するプリント回路基板を通して送信されてもよい。クロック信号は、ＲＦＩＣ２１０中で発生されてもよく、ベースバンドＩＣ２４０に対して回路基板を通してルーティングされてもよい。
【００２８】
図２Ｂにおいて、ＡＤＣ２４２は、ベースバンドＩＣ２４０上ではなく、ＲＦＩＣ２１０上に位置している。クロックおよびデータ信号は、ＲＦＩＣ２１０において、発生されてもよく、回路基板を通してベースバンドＩＣ２４０にルーティングされる。図２Ｃに図示した実現では、ＡＤＣ２４２は、ＲＦＩＣ２１０上に位置している。ベースバンドＩＣ２４０は、分周器２４６およびオシレータ２４８を含んでもよい。この実現において、クロック信号は、ベースバンドＩＣ２４０中で発生されてもよく、回路基板を通してＲＦＩＣ２１０に対してルーティングされてもよい。図２Ａ−２Ｃにおいて図示した特定の構成は、単に例であることに留意すべきである。他の構成もまた使用されてもよい。
【００２９】
ワイヤレスデバイスは、１つ以上の受信機および／または１つ以上の送信機を含んでもよい。電気的コンポーネントの密着型結合の結果として、干渉信号が、受信機の所望の信号帯域幅を占有するかもしれない。例えば、送信機の信号の一部が、受信機フロントエンド回路へと漏れ出して、引き続いて、受信機ＡＤＣ中でエイリアシングし、同じ場所に配置されている受信機のサンプリングクロックの高調波が、受信機のＲＦ信号帯域幅中に入り、受信機のサンプリングクロックによって発生されたＬＯスプールが、同じ場所に配置されている送信機および／または他の干渉源から漏れ出た信号と混合された結果として、干渉信号が発生されるかもしれない。すべての同じ場所に配置されているデバイスエレメントによって使用されている周波数に基づいて、サンプリング周波数を動的に選択することを使用して、干渉を防止してもよい。図３は、いくつかの観点にしたがった、ワイヤレスデバイスを制御するためのプロセッサ／制御装置３００を図示する。プロセッサ／制御装置３００は、干渉決定モジュール３１０、サンプリング周波数決定モジュール３２０、サンプリング周波数調整モジュール３３０を含んでもよい。
【００３０】
干渉決定モジュール３１０は、１つ以上の潜在的な干渉信号の源を決定するように構成されていてもよい。例えば、干渉決定モジュールは、所望の受信信号帯域へとエイリアスし得る信号を発生するかもしれない、同じ場所に配置されている送信機および／または受信機のような、潜在的な干渉源があるか否かを決定するように構成されていてもよい。干渉決定モジュール３１０はまた、何らかの潜在的干渉者の周波数を決定するように構成されていてもよい。例えば、送信機漏洩の結果として、ジャマー信号が受信される恐れがある場合、干渉決定モジュール３１０は、送信機オシレータの周波数を決定するように構成されていてもよい。同じ場所に配置されている受信機に対して、干渉決定モジュール３１０は、それぞれの同じ場所に配置されている受信機の動作周波数を決定するように構成されていてもよい。集積チップセット中で、同じ場所に配置されている受信機または送信機によってジャマーが発生されるとき、受信機を制御しているソフトウェアおよび／またはファームウェアを使用して、同じ場所に配置されている受信機または送信機を制御してもよい。したがって、同じ場所に配置されている受信機または送信機に関係している周波数情報および／または帯域とチャネル情報は、受信機に関係しているコードモジュールに対して、リアルタイムで送出されてもよい。いくつかの観点では、受信機コードモジュールは、同じ場所に配置されている受信機または送信機に関係しているコードモジュールからの周波数情報を、高レベルアプリケーションプログラミングインターフェース（ＡＰＩ）を介して、定期的に要求してもよい。いくつかの観点では、リアルタイムスペクトル解析器を使用して、何らかの潜在的な干渉者に対する周波数情報を決定してもよい。他の方法もまた、使用してもよい。
【００３１】
干渉決定モジュール３１０によって決定された干渉情報に基づいて、サンプリング周波数決定モジュール３２０は、干渉を回避することになるＡＤＣサンプリング周波数を決定するように構成されていてもよい。いくつかの観点にしたがうと、すべてのチャネルの潜在的な干渉源に対して、予め計算されたサンプリング周波数を記憶するルックアップテーブルを調べることによって、適切なサンプリング周波数を決定してもよい。例えば、１０個の送信機チャネルのうちの１つにおいて動作する送信機と同じ場所に配置されている受信機に対して、これらの１０個の送信機チャネルに関係している所望のサンプリング周波数が、テーブル中に記憶されてもよい。例えば、すべての候補サンプリング周波数に対するそのチャネル中の送信機漏洩のエイリアス周波数を計算することと、所望の信号帯域幅中へとエイリアシングすることを回避する１つのサンプリング周波数を選択することとによって、テーブル中のそれぞれのチャネルに対するサンプリング周波数を決定してもよい。
【００３２】
いくつかの観点にしたがうと、サンプリング周波数決定モジュール３２０は、ルックアップテーブルを調べることなく、所望のサンプリングレートを計算するように構成されていてもよい。サンプリング周波数決定モジュール３２０は、すべての潜在的干渉を回避するサンプリング周波数Ｆsを計算するように構成されていてもよい。例えば、送信機漏洩による潜在的な干渉のケースでは、ベースバンド周波数
【数１】
0006033833.tif 000002
【００３３】
におけるジャマーが、そのベースバンド周波数が実際に
【数２】
0006033833.tif 000003
【００３４】
であるかのように、ＡＤＣ出力において出現することになり、ここで、Ｎは整数であり、以下の数式が成立する。
【数３】
0006033833.tif 000004
【００３５】
したがって、サンプリング周波数決定モジュール３２０は、エイリアスされたジャマーが信号帯域幅から十分に遠くなるように、上で特定した数式に基づいて、Ｆsに対する値を選択するように構成されていてもよい。
【００３６】
同じ場所に配置されている受信機のサンプリングクロックによって発生された高調波のケースでは、サンプリング周波数決定モジュール３２０は、何の複数の
【数４】
0006033833.tif 000005
【００３７】
も、デバイス中の何らかのアクティブな受信機に対するＲＦ信号帯域幅内部に入らないように、同じ場所に配置されている受信機に対するサンプリング周波数Ｆsを選択するように構成されていてもよい。同じ場所に配置されている送信機からの信号漏洩と混合している受信機のサンプリングクロックによって発生されたＬＯスプールのケースでは、サンプリング周波数Ｆsは、周波数オフセット
【数５】
0006033833.tif 000006
【００３８】
における、ＬＯスプールとの送信機漏洩の何の混合積も、所望の信号帯域幅内に入ることのないように、サンプリング周波数Ｆsを決定してもよい。いくつかの観点にしたがうと、すべての潜在的メカニズムによって引き起こされる干渉を回避するサンプリング周波数を選択する。他の実施形態では、すべての潜在的メカニズムより少ないものが考慮されてもよい。
【００３９】
サンプリング周波数調整モジュール３３０は、サンプリング周波数に対する調整が望ましいときを決定するように構成されていてもよい。例えば、モジュールは、ユーザデバイスが電源オンされているとき、信号ハンドオフがあるとき、通信チャネル変更があるとき、音声またはデータ通話が発信または終了されているとき、および／または、他の所望のときに、調整が望ましいとして決定してもよい。
【００４０】
図４は、送信機４１０および受信機４４０を具備しているワイヤレスデバイス４００のブロック図である。送信機４１０は、電力増幅器（ＰＡ）４１２、ミキサー４１４、ＬＯ４１６、アナログフィルタ４１８、および、デジタルアナログコンバータ（ＤＡＣ）４２０を備える。受信機４４０は、ＬＮＡ４４０、ミキサー４４４、ＬＯ４４６、アナログフィルタ４４８、および、ＡＤＣ４５０を備える。いくつかの観点では、ＡＤＣ４５０および／またはＤＡＣ４２０は、（示していない）ベースバンドＩＣ内に含まれていてもよい。いくつかの観点では、ＰＡ４１２は、送信機ＲＦＩＣとは別のものであってもよい。ワイヤレスデバイス４００は、例えば、ＣＤＭＡ、ＴＤＭＡ、ＦＤＭＡ、ＯＦＤＭＡ、および／または、他の通信技術のようなさまざまな通信技術を使用してもよい。
【００４１】
送信パス上で、送信データがＤＡＣ４２０へと供給され、これは、デジタルデータ信号をアナログ信号へと変換する。次に、アナログ信号は、アナログフィルタ４１８を介してフィルタされる。ミキサー４１４は、ＬＯ４１６によって供給された送信ローカルオシレータ信号をアナログデータ信号と共に変調して、変調されたＲＦ信号を提供する。変調されたＲＦ信号は、次に、増幅器４１２によって増幅され、送信信号はデュプレクサ４３４を通してルーティングされ、アンテナ４３２を介して送信される。
【００４２】
受信パス上で、アンテナ４３２は、送信信号を受信し、デュプレクサ４３４は、アンテナ４３２からの受信信号を増幅器４４２に対してルーティングする。ミキサー４４４は、増幅された信号を、ＬＯ４４６によって供給された、受信ローカルオシレータ信号と共に復調して、ベースバンド信号を提供する。アナログフィルタ４４８は、ベースバンド信号をフィルタして雑音と他の成分を取り除き、フィルタされた信号を提供する。フィルタされたアナログ信号は、次に、ＡＤＣ４５０を介して、デジタル信号に変換される。
【００４３】
送信された信号に加えて、アンテナ４３２はまた、他の基地局によって送信された信号、または、増幅器４１２から漏れ出している送信信号の一部のような干渉信号も受信するかもしれない。送信機漏洩は、ＡＤＣのサンプリング周波数に依拠して、所望の信号帯域幅へとエイリアスするかもしれない、ジャマー信号を発生させるかもしれない。したがって、いくつかの観点にしたがうと、エイリアスされた送信機漏洩成分が所望の信号帯域幅内へと入ることのないように、ＡＤＣ４５０のサンプリング周波数が計算され、調整されてもよい。チャネル変更のような、動作環境に対する何らかの変更がある場合、サンプリング周波数に対する調整は自動的に行われてもよい。
【００４４】
サンプリング周波数の動的な調整を使用して、サンプリングクロック高調波が、ユーザデバイス中のアクティブな受信機のＲＦ信号帯域幅内へと入ることを防止してもよい。図５は、その中に格納された２つの受信機コンポーネントを有する電子的デバイスのブロック図を図示する。第１の受信機５１０は、第１の増幅器５１２、第１のミキサー５１４、第１のフィルタ５１６、第１のＡＤＣ５１８、第１のオシレータ５２０、および、第１の分周器５２２を備えてもよい。第２の受信機５４０は、第２の増幅器５４２、第２のミキサー５４４、第２のフィルタ５４６、第２のＡＤＣ５４８、および、第２のオシレータ５５０を備えてもよい。いくつかの観点にしたがうと、第１の受信機５１０は、第１の通信タイプのものであってもよい一方で、第２の受信機５４０は、第１の受信機５１０とは異なる第２の通信タイプのものであってもよい。いくつかの観点にしたがうと、ＡＤＣ５１８およびＡＤＣ５４８の１つまたは両方は、（示していない）ベースバンドＩＣ上に含まれてもよい。例えば、第１の受信機５１０と第２の受信機５４０のそれぞれは、ＣＤＭＡ、ＦＤＭＡ、ＴＤＭＡ、および／または、他の通信プロトコルを用いてもよい。いくつかの観点にしたがうと、第１の受信機４４０と第２の受信機５４０は、同一の通信プロトコルを用いてもよい。
【００４５】
図５は、例として、第１の受信機５１０がＧＰＳ受信機であり、第２の受信機５４０がＣＤＭＡ受信機であるとして説明することにする。しかしながら、他の構成も使用されてもよい。第１の受信機５１０中で発生されたサンプルクロックは、クロックされている回路の量によって、干渉を発生させるかもしれない。例えば、パス（ａ）において図示したように、ＡＤＣ５１８のサンプリング周波数の高調波が、受信機ＲＦセクションへと結合されてもよい。しかしながら、受信機のオシレータ５２０を使用して、整数分周器とともに、サンプリング周波数を発生させるので、このパス上で発生された、何らかの帯域内高調波は、ちょうどＬＯ周波数に入るかもしれない。したがって、低い周波数における十分に小さい信号エネルギーがある場合、（示していない）パイパスフィルタを使用して、干渉クロック高調波を除去してもよい。
【００４６】
高調波はまた、パス（ｂ）において図示したように、第２の受信機５４０の受信帯域に入るかもしれない。いくつかの観点にしたがうと、第２の受信機のサンプリング周波数が、オシレータ５５０によってではなく、むしろ、第１のオシレータ５２０によって発生されている。このようにして、サンプリングクロックは、ユーザデバイス中の、第２の受信機５４０のような、別のアクティブな受信機のＲＦ信号帯域幅内に入る高調波成分を持っているかもしれない。サンプルクロックドメインにおけるデジタル信号は、高感度増幅器／ミキサー回路に結合しているかもしれず、ここで、高調波成分は帯域内ジャマーを生成するかもしれない。結合がクロック信号からの支配的なものである場合、ジャマーは、例えば、実質的に変調されていないかもしれず、または、データ信号からの重要な結合がある場合、ジャマーはより広い帯域幅を有しているかもしれない。
【００４７】
さまざまな観点にしたがうと、何の複数の
【数６】
0006033833.tif 000007
【００４８】
（ここで、Ｆsは、サンプリング周波数である）も、ユーザデバイス中の、第２の受信機５４０のような、何らかのアクティブな受信機のＲＦ信号帯域幅内に入らないように、第１の受信機４４０中で発生されたサンプリング周波数を、動的に調整してもよい。
【００４９】
したがって、受信機を制御している（図３に図示したプロセッサ／制御装置のような）プロセッサは、システム中のすべてのアクティブな受信機によって使用されている周波数のデータベースを維持するように構成されていてもよい。いくつかの観点では、受信機を制御するソフトウェアおよび／またはファームウェアを使用して、同じ場所に配置されている受信機を制御してもよい。したがって、同じ場所に配置されている受信機に関係している、周波数情報および／または帯域とチャネル情報は、第１の受信機に関係しているコードモジュールに対してリアルタイムで送出されてもよい。いくつかの観点では、第１の受信機コードモジュールは、同じ場所に配置されている受信機に関係しているコードモジュールからの周波数情報を、高レベルアプリケーションプログラミングインターフェース（ＡＰＩ）を介して、定期的に要求してもよい。他の方法もまた使用されてもよい。いくつかの観点にしたがうと、それぞれの受信機は、他のすべての受信機に対する周波数情報を記憶するそれ自体のプロセッサを有している。他の観点では、単一のプロセッサを使用して、すべてのアクティブな受信機を制御してもよい。アクティブな受信機が、新しいチャネルに同調されるときはいつでも、適切なサンプリング周波数が計算および調整されてもよい。例えば、ＣＤＭＡ受信機に対しては、ハードハンドオフの間にサンプリング周波数が計算および調整されてもよい。
【００５０】
また、サンプリング周波数の動的な調整を使用して、潜在的なＬＯスプールがＲＦジャマーと混合される影響を緩和してもよい。図６は、受信機６１０および送信機６４０を具備するデバイス６００を図示する。受信機６１０は、増幅器６１２、ミキサー６１４、フィルタ６１６、ＡＤＣ６１８、オシレータ６２０、分周器６２２、および、位相ロックループ（ＰＬＬ）６２４を備えてもよい。送信機６４０は、増幅器６４２、ミキサー６４４、フィルタ６４６、ＡＤＣ６４８、および、オシレータ６５０を備えてもよい。いくつかの観点にしたがうと、受信機６１０および送信機６４０は、異なる通信プロトコルを使用して動作する。いくつかの観点では、同一の通信プロトコルが使用されてもよい。いくつかの観点にしたがうと、ＡＤＣ６１８とＤＡＣ６４８の１つまたは両方は、（示していない）ベースバンドＩＣ上に位置していてもよい。図６は、受信機６１０がＧＰＳ受信機であり、送信機６４０がＣＤＭＡ送信機であるとして記述することにする。しかしながら、これは単に例示的な構成に過ぎず、他の何らかの受信機／送信機の組み合わせを使用してもよいことに留意すべきである。
【００５１】
図６に図示したように、オシレータ６２０を使用して、分周器６２２を通してサンプリングクロックを発生させてもよい。パス（ａ）は、サンプリングクロック／データ信号の、ＧＰＳシンセサイザーに対する潜在的な結合を示す。より詳細には、ＰＬＬ６２４は、オシレータ６２０に対する同調電圧を発生させてもよい。しかしながら、ＡＤＣ６１８からのクロックおよび／または、データ信号は、オシレータ６２０の同調ポートに対して結合されてもよく、オシレータ制御電圧を変調してもよい。結果として、オシレータの出力は、所望のオシレータ周波数からの周波数オフセット
【数７】
0006033833.tif 000008
【００５２】
におけるスプリアス成分を含んでもよい。オシレータは自己混合しているものの、これらのスプールは、受信機出力においてＣＷジャマーとして出現するかもしれず、および／または、それらは、送信機漏洩と共に混合されて、ジャマーエイリアシングに似ているブロードバンド干渉を生成するかもしれない。
【００５３】
上に記述したように、ＣＤＭＡ送信機６４０のような、同じ場所に配置されている送信機は、パス（ｂ）によって示される、送信信号漏洩を発生させるかもしれない。送信機漏洩は、漏洩とオシレータ６２０の基本トーンの混合積であるベースバンドジャマーを発生させるかもしれない。オシレータ６２０上のＣＷスプールはまた、送信機漏洩と混合されることになり、異なる周波数における第２のベースバンドジャマーを生成するかもしれない。ＡＤＣ６１８のサンプリング周波数Ｆsと、オシレータ６２０の基本周波数ＦLOがあるとすると、送信機漏洩のＲＦ周波数は、以下のように記述されてもよい。
【数８】
0006033833.tif 000009
【００５４】
ここで、Ｎは、整数であり、以下の数式が成立する。
【数９】
0006033833.tif 000010
【００５５】
オシレータスプールがオシレータ基本から、
【数１０】
0006033833.tif 000011
【００５６】
だけ周波数オフセットを有する場合、第２のベースバンドジャマーは、以下の周波数を有する。
【数１１】
0006033833.tif 000012
【００５７】
ＡＤＣ出力において、この第２のベースバンドジャマーは、第１のベースバンドジャマーのエイリアシングから区別できない。
【００５８】
図７Ａは、オシレータ６２０に対するＬＯスペクトルを図示する。図示したように、スプールは、何らかの整数Ｎに対するオフセット
【数１２】
0006033833.tif 000013
【００５９】
において発生してもよい。図７Ｂは、受信機６１０に対する信号入力の周波数スペクトルを図示する。中央周波数ＦGPSにおける、所望のＧＰＳ信号が存在し、中央周波数ＦTXにおける、所望でない送信機漏洩もまた存在する。送信機漏洩信号は、ＬＯスプールと混合されるかもしれず、図７Ｃに図示したようにベースバンドスペクトルを発生させる。すなわち、所望のＧＰＳ信号帯域幅は、オシレータスプールと混合されている送信機漏洩を表すジャマー信号によって占有される。
【００６０】
さまざまな観点にしたがうと、ジャマー信号のオシレータスプールとの混合を回避するように、サンプリング周波数を動的に選択してもよい。周波数オフセット
【数１３】
0006033833.tif 000014
【００６１】
における、ジャマーとオシレータスプールの、何の混合積も、ベースバンド信号帯域幅内に入ることのないように、サンプリング周波数が選択されてもよい。ジャマー周波数が変化するにつれて、サンプリング周波数は動的に調整されてもよい。
【００６２】
図８は、受信機干渉を回避するための方法の１つの観点を図示する。８０２において図示するように、１つ以上の潜在的な干渉信号成分の周波数が決定される。８０４において図示したように、１つ以上の潜在的干渉信号のそれぞれが、受信機の所望のベースバンド信号帯域幅を占有することがないように、受信機に対する所望のサンプリング周波数が計算されてもよい。８０６において図示したように、受信機に対するサンプリング周波数を、計算された所望のサンプリング周波数に設定してもよい。
【００６３】
図９を参照すると、ワイヤレスネットワークを通して受信されるメッセージを受信および処理するシステム９００を図示する。例えば、システム９００は、受信機、移動体デバイス等内に少なくとも部分的に存在してもよい。システム９００は、機能ブロックを含むとして表したが、これは、プロセッサ、ソフトウェア、または、これらの組み合わせ（例えば、ファームウェア）によって実現される機能を表す機能ブロックであってもよいことを認識すべきである。システム９００は、関連して動作できる電気的コンポーネントの論理的グルーピング９０２を備える。例えば、論理的グルーピング９０２は、１つ以上の潜在的な干渉信号成分の周波数を決定するためのモジュール９０４を備えることができる。例えば、送信機の信号の一部が、受信機回路へと漏洩して、受信機ＡＤＣ中で帯域内エイリアシングすることによってや、ＡＤＣサンプリングクロック高調波を、高感度受信機ＬＮＡおよび／またはミキサー回路へと結合することによってや、受信機へと送信機から漏れ出ている信号とＡＤＣサンプリングクロックを混合させることにより発生された受信機ＬＯスプールによってや、ならびに／あるいは、他の干渉源によって、干渉が潜在的に引き起こされるかもしれない。
【００６４】
さらに、論理的グルーピング９０２は、１つ以上の潜在的な干渉信号のそれぞれが、受信機の所望のベースバンド信号帯域幅を占有しないように、受信機に対する所望のサンプリング周波数を計算するモジュール９０６を備えていてもよい。さらに、論理的グルーピング９０２は、サンプリング周波数を所望のサンプリング周波数に設定するモジュール９０８を備えていてもよい。
【００６５】
ここで開示している実施形態に関して説明した、さまざまな例示的論理ブロック、モジュール、および、回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）、または、他のプログラム可能な論理デバイス、ディスクリートゲートまたはトランジスタ論理、ディスクリートハードウェア部品、または、ここで開示した機能を実行するように設計された、これらの任意の組み合わせで、実現または実施されてもよい。汎用プロセッサは、マイクロプロセッサであってもよいが、代わりに任意の従来のプロセッサ、制御装置、マイクロ制御装置、または状態機械であってもよい。プロセッサは、例えば、ＤＳＰおよびマイクロプロセッサ、複数のマイクロプロセッサ、ＤＳＰコアに関連した１以上のマイクロプロセッサ、または他の任意の前述の構成のような、計算デバイスの組み合わせとして実施されてもよい。さらに、少なくとも１つのプロセッサは、上に記述したステップおよび／またはアクションの１つ以上を実行するように動作可能な１つ以上のモジュールを備えていてもよい。
【００６６】
さらに、ここで開示した観点に関して説明した方法またはアルゴリズムのステップは、ハードウェア中で直接、プロセッサにより実行されるソフトウェアモジュール中、または、２つの組み合わせ中に、実現されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当業者に知られている、他の任意の形式の記憶メディア中に存在してもよい。例示的な記憶媒体はプロセッサに結合され、そのようなプロセッサは記憶媒体から情報を読み出し、記憶媒体に情報を書き込む。代わりに、記憶媒体はプロセッサに統合されていてもよい。さらに、いくつかの観点では、プロセッサおよび記憶媒体はＡＳＩＣ中に存在していてもよい。さらに、ＡＳＩＣはユーザ端末中に存在していてもよい。代わりに、プロセッサおよび記憶媒体はユーザ端末中にディスクリート部品として存在していてもよい。さらに、いくつかの観点では、方法またはアルゴリズムのステップおよび／またはアクションは、コンピュータプログラム製品中に組み込むことができる、機械読取可能媒体および／またはコンピュータ読取可能媒体上のコードおよび／または命令の１つ、または、任意の組み合わせ、あるいは、１組のコードとして存在してもよい。
【００６７】
１つ以上の観点では、説明した機能を、ハードウェア、ソフトウェア、ファームウェア、または、これらの組み合わせによって実現してもよい。ソフトウェアにおいて実現される場合、関数を、コンピュータ読取可能媒体中の１つ以上の命令またはコードとして記憶または送信させてもよい。コンピュータ読取可能媒体は、コンピュータ記憶媒体と、ある場所から別の場所へとコンピュータプログラムの転送を容易にする任意の媒体を含む通信媒体との両方を含む。記憶媒体は、コンピュータによってアクセスされることができる任意の利用可能な媒体を指す。例として、これらに制限される訳ではないが、このようなコンピュータ読取可能媒体は、ＲＡＭ、ＲＯＭ、ＥＥＰＲＯＭ、ＣＤ−ＲＯＭ、および他の光学ディスクストレージ、磁気ディスクストレージまたは磁気ストレージ装置、あるいは、所望のプログラムコードを命令またはデータ構造の形態で搬送または記憶するのに使用されることができ、かつ、コンピュータによってアクセスされることができる、他の任意の媒体を含むことができる。また、接続は、コンピュータ読取可能媒体と呼んでもよい。例えば、ソフトウェアがウェブサイト、サーバ、または、他のリモード源から、同軸ケーブル、ファイバー光学ケーブル、燃料対、デジタル加入ライン（ＤＳＬ）、または、赤外線、無線、および、マイクロウェーブのようなワイヤレス技術を使用して、送信される場合、同軸ケーブル、ファイバー光学ケーブル、燃料対、デジタル加入ライン（ＤＳＬ）、または、赤外線、無線、および、マイクロウェーブのようなワイヤレス技術は、媒体の定義中に含められる。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイ（登録商標）ディスクを含み、ここで、ディスク（ｄｉｓｋ）は、通常は、磁気的にデータを再生し、ディスク（ｄｉｓｃ）は、レーザーで光学的にデータを再生する。
【００６８】
これまでの開示は、例示的な観点および／または実施形態を記述したが、ここで、さまざまな変更および修正が、添付の特許請求の範囲により規定される記述した観点および／または実施形態の範囲から逸脱することなく、行われてもよいことに留意すべきである。さらに、記述した観点および／または実施形態のエレメントを、単数形で記述または特許請求したかもしれないが、単数への限定が明示的に述べられていない限り、複数が意図されている。さらに、観点および／または実施形態のすべて、あるいは、一部を、他の任意の観点および／または実施形態のすべて、あるいは、一部とともに利用してもよい。  
以下に、本願出願の当初の特許請求の範囲に記載された発明を付記する。
［１］無線周波数集積回路（ＲＦＩＣ）を備える第１の受信機と、
ベースバンド集積回路（ＩＣ）と、
前記ＲＦＩＣと、前記ベースバンドＩＣとの間でルーティングされる、ＡＤＣサンプルクロック信号と、
サンプリング周波数を動的に調整して、１つ以上の潜在的な干渉信号が、前記第１の受信機の所望の受信信号帯域と干渉するのを回避するように構成されている、少なくとも１つのプロセッサと
を具備する装置において、
前記第１の受信機は、所望の受信信号帯域を有しており、前記ベースバンドＩＣは、前記ＲＦＩＣとは別のものである装置。
［２］前記ベースバンドＩＣは、アナログデジタルコンバータ（ＡＤＣ）を含み、
前記ＡＤＣサンプルクロック信号は、前記ＲＦＩＣ上で発生され、前記ＡＤＣにルーティングされる、上記［１］の装置。
［３］前記ＲＦＩＣはＡＤＣを含み、
前記ＡＤＣサンプルクロック信号は、前記ＲＦＩＣ上で発生され、前記ベースバンドＩＣにルーティングされる、上記［１］の装置。
［４］前記ＲＦＩＣはＡＤＣを含み、
前記ＡＤＣサンプルクロック信号は、前記ベースバンドＩＣ上で発生され、前記ＲＦＩＣにルーティングされる、上記［１］の装置。
［５］前記少なくとも１つのプロセッサは、
前記１つ以上の潜在的な干渉信号成分の周波数を決定する干渉決定モジュールと、
前記１つ以上の潜在的な干渉信号成分のうちの少なくとも１つが、前記第１の受信機の動作と実質的に干渉しないように、所望のサンプリング周波数を選択するサンプリング周波数選択モジュールと、
前記サンプリング周波数を、前記所望のサンプリング周波数に設定するサンプリング周波数調整モジュールと
を備える、上記［１］の装置。
［６］前記１つ以上の潜在的な干渉信号成分のうちの少なくとも１つは、ジャマー信号であり、
前記ジャマー信号をサンプリングすることは、前記ジャマー信号が、前記第１の受信機の所望の信号帯域へとエイリアスすることを潜在的にもたらし、
前記サンプリング周波数選択モジュールは、前記ＡＤＣ入力における、前記ジャマーのスペクトル、モジュロＦsが、前記所望の信号スペクトルに実質的にオーバーラップしないように、計算またはルックアップテーブルを通して、サンプリング周波数Ｆsを決定するように構成されている、上記［５］の装置。
［７］前記第１の受信機は、ゼロＩＦアーキテクチャを有し、前記サンプリング周波数は、ＦJ ｍｏｄ Ｆsが、ＢＷJ＋ＢＷsの２分の１より大きくなるように選択され、ここでＦJは前記ジャマーの周波数であり、ＢＷJは前記ジャマーの帯域幅であり、ＢＷsは前記信号の帯域幅である、上記［６］の装置。
［８］少なくとも１つの前記潜在的な干渉信号成分の源は、前記第１の受信機のサンプリング周波数の高調波であり、
前記サンプリング周波数選択モジュールは、
何れの複数の
【数１４】
0006033833.tif 000015
も、前記所望の信号スペクトル内に入ることのないように、計算またはルックアップテーブルを通して、サンプリング周波数を決定するように構成されており、ここで、Ｆsは前記受信機のサンプリング周波数であり、Ｎは正の整数である、上記［５］の装置。
［９］前記潜在的な干渉信号成分の少なくとも１つは、前記第１の受信機のローカルオシレータ（ＬＯ）の１つ以上のスプリアス成分によって、前記第１の受信機の所望の信号ＩＦ帯域へとダウンコンバートされてもよく、前記ＬＯの１つ以上のスプリアス成分は、前記第１の受信機のサンプリング周波数の高調波であり、
前記サンプリング周波数選択モジュールは、
周波数オフセット
【数１５】
0006033833.tif 000016
における、前記ジャマーとＬＯスプリアス成分との混合積が、前記所望の信号スペクトルと実質的にオーバーラップしないスペクトルを持つように、計算またはルックアップテーブルを通して、サンプリング周波数Ｆsを決定するように構成されている、上記［５］の装置。
［１０］前記サンプリング周波数選択モジュールは、第１の受信機が新しいチャネルに同調されるときにはいつでも、サンプリング周波数を選択するようにさらに構成されている、上記［５］の装置。
［１１］少なくとも１つの送信機をさらに具備し、
前記潜在的な干渉信号成分の少なくとも１つは、少なくとも１つの送信機から前記受信機へと結合される、上記［１］の装置。
［１２］少なくとも１つの第２の受信機をさらに具備し、
前記潜在的な干渉信号成分の少なくとも１つは、前記第２の受信機のＡＤＣ回路から前記第１の受信機へと結合される、上記［５］の装置。
［１３］少なくとも１つの前記潜在的な干渉信号成分の源は、前記第２の受信機のサンプリング周波数の高調波であり、
前記サンプリング周波数選択モジュールは、
何れの複数の
【数１６】
0006033833.tif 000017
も、前記第１の受信機の所望の信号スペクトル内に入ることのないように、計算またはルックアップテーブルを通して、サンプリング周波数を決定するように構成されており、ここで、
【数１７】
0006033833.tif 000018
は前記少なくとも１つの第２の受信機のサンプリング周波数であり、Ｎは正の整数である、上記［１２］の装置。
［１４］前記潜在的な干渉信号成分の少なくとも１つは、前記第１の受信機のローカルオシレータ（ＬＯ）の１つ以上のスプリアス成分によって、前記第１の受信機の所望の信号ＩＦ帯域へとダウンコンバートされてもよく、前記１つ以上のＬＯのスプリアス成分は、前記少なくとも１つの第２の受信機のサンプリング周波数の高調波であり、
前記サンプリング周波数選択モジュールは、
周波数オフセット
【数１８】
0006033833.tif 000019
における、前記ジャマーとＬＯスプリアス成分との前記第１の受信機中での混合積が、前記第１の受信機の所望の信号スペクトルと実質的にオーバーラップしないスペクトルを持つように、計算またはルックアップテーブルを通して、サンプリング周波数
【数１９】
0006033833.tif 000020
を決定するように構成されている、上記［１２］の装置。
［１５］第１の受信機との干渉を回避するように構成されている、少なくとも１つのプロセッサにおいて、
前記第１の受信機と潜在的に干渉する、１つ以上の所望でない信号の周波数を決定する第１のモジュールと、
１つ以上の潜在的な干渉信号成分のうちの少なくとも１つが、前記第１の受信機と実質的に干渉しないように、所望のサンプリング周波数を選択する第２のモジュールと、
サンプリング周波数を、前記所望のサンプリング周波数に設定する第３のモジュールと
を具備する装置において、
前記第１の受信機は、無線周波数集積回路と、別のベースバンド集積回路との間でルーティングされているＡＤＣサンプルクロックにインターフェースする、プロセッサ。
［１６］コンピュータ読取可能媒体を備えるコンピュータプログラム製品において、
前記コンピュータ読取可能媒体は、
ＲＦＩＣと、別のベースバンドＩＣとの間でルーティングされているＡＤＣサンプルクロックにインターフェースする第１の受信機にインターフェースするプロセッサを備え、
前記コンピュータ読取可能媒体は、
コンピュータに、前記第１の受信機と潜在的に干渉する、１つ以上の所望でない信号の周波数を決定させるための第１の組のコードと、
前記コンピュータに、１つ以上の潜在的な干渉信号成分のうちの少なくとも１つが、前記第１の受信機と実質的に干渉しないように、所望のサンプリング周波数を選択させるための第２の組のコードと、
前記コンピュータに、サンプリング周波数を、前記所望のサンプリング周波数に設定させるための第３の組のコードと
を含む、コンピュータプログラム製品。
［１７］ＲＦＩＣと、前記ＲＦＩＣとは別のベースバンドＩＣとを有する第１の受信機と、
第１の受信機のサンプリング周波数を決定して、１つ以上の潜在的な干渉信号が、前記第１の受信機の所望のベースバンド信号帯域幅を占有するのを回避する手段と、
前記１つ以上の潜在的な干渉信号のうちの少なくとも１つが、前記第１の受信機と実質的に干渉しないように、所望のサンプリング周波数を選択する手段と、
サンプリング周波数を、前記所望のサンプリング周波数に設定する手段と
を具備し、
クロック信号は、前記ＲＦＩＣと、前記ベースバンドＩＣとの間でルーティングされる装置。
［１８］システム中で受信機干渉を回避する方法において、
アナログデジタルコンバータ（ＡＤＣ）サンプルクロックは、別々の無線周波数集積回路（ＲＦＩＣ）と、ベースバンド集積回路（ＩＣ）との間でルーティングされ、
前記方法は、
第１の受信機と潜在的に干渉する１つ以上の所望でない信号の周波数を決定することと、
前記１つ以上の所望でない信号のうちの少なくとも１つが、前記第１の受信機と実質的に干渉しないように、所望のサンプリング周波数を選択することと、
サンプリング周波数を、前記所望のサンプリング周波数に設定することと
を含む方法。
［１９］前記ベースバンドＩＣは、アナログデジタルコンバータ（ＡＤＣ）を含み、
前記ＲＦＩＣ上で、ＡＤＣサンプルクロック信号を発生させることと、
前記ＡＤＣサンプルクロック信号を、１つ以上のアナログデータ信号とともに、前記ＡＤＣにルーティングすることと
をさらに含む、上記［１８］の方法。
［２０］前記ＲＦＩＣはＡＤＣを含み、
前記ＲＦＩＣ上で、ＡＤＣサンプルクロック信号を発生させることと、
前記ＡＤＣサンプルクロック信号を、１つ以上のデジタルデータ信号とともに、前記ベースバンドＩＣにルーティングすることと
をさらに含む、上記［１８］の方法。
［２１］前記ＲＦＩＣはＡＤＣを含み、
前記ベースバンドＩＣ上で、ＡＤＣサンプルクロック信号を発生させることと、
前記ＡＤＣサンプルクロック信号を、前記ＲＦＩＣにルーティングすることと
をさらに含む、上記［１８］の方法。
［２２］前記第１の受信機は、１つ以上の送信機と同じ場所に配置されており、
前記所望でない信号のうちの少なくとも１つは、同じ場所に配置されている送信機から前記第１の受信機へと結合される、上記［１８］の方法。
［２３］前記サンプリング周波数を選択することは、同じ場所に配置されている送信機の少なくとも１つが、新しいチャネルに同調されるときにはいつでも実行される、上記［２２］の方法。
［２４］前記第１の受信機は、１つ以上の第２の受信機と同じ場所に配置されており、
前記所望でない信号のうちの少なくとも１つは、同じ場所に配置されている第２の受信機のＡＤＣ関連の回路から前記第１の受信機へと結合され、前記ＡＤＣ関連の回路は、前記ＡＤＣのコア回路に加えて、ＡＤＣ動作に本質的な、何らかのサンプルクロック発生回路、および、入出力バッファ回路を含む、上記［１８］の方法。
［２５］同じ場所に配置されている少なくとも１つの第２の受信機の前記サンプリング周波数を選択することは、前記第２の受信機が新しいチャネルに同調されるときにはいつでも実行される、上記［２４］の方法。
［２６］前記１つ以上の所望でない信号のうちの少なくとも１つは、ジャマー信号であり、
前記ジャマー信号をサンプリングすることは、前記ジャマー信号が、前記第１の受信機の所望の信号帯域へとエイリアスすることを潜在的にもたらし、
前記所望のサンプリング周波数を選択することは、
前記ＡＤＣ入力における、前記ジャマーのスペクトル、モジュロＦsが、前記所望の信号スペクトルに実質的にオーバーラップしないように、計算またはルックアップテーブルを通して、サンプリング周波数Ｆsを決定することを含む、上記［１８］の方法。
［２７］前記第１の受信機は、ゼロＩＦアーキテクチャを有し、前記サンプリング周波数は、ＦJ ｍｏｄ Ｆsが、ＢＷJ＋ＢＷsの２分の１より大きくなるように選択され、ここでＦJは前記ジャマーの周波数であり、ＢＷJは前記ジャマーの帯域幅であり、ＢＷsは前記信号の帯域幅である、上記［２６］の方法。
［２８］少なくとも１つの前記所望でない信号の源は、前記第１の受信機のサンプリング周波数の高調波であり、
前記所望のサンプリング周波数を選択することは、
何れの複数の
【数２０】
0006033833.tif 000021
も、前記所望の信号スペクトル内に入ることのないように、計算またはルックアップテーブルを通して、サンプリング周波数を決定することを含み、ここで、Ｆsは前記第１の受信機のサンプリング周波数であり、Ｎは正の整数である、上記［１８］の方法。
［２９］少なくとも１つの前記所望でない信号の源は、同じ場所に配置されている第２の受信機のサンプリング周波数の高調波であり、
前記第２の受信機の所望のサンプリング周波数を選択することは、
何れの複数の
【数２１】
0006033833.tif 000022
も、前記第１の受信機の所望の信号スペクトル内に入ることのないように、計算またはルックアップテーブルを通して、サンプリング周波数を決定することを含み、ここで、
【数２２】
0006033833.tif 000023
は前記同じ場所に配置されている第２の受信機のサンプリング周波数であり、Ｎは正の整数である、上記［１８］の方法。
［３０］前記所望でない信号の少なくとも１つは、前記第１の受信機のローカルオシレータ（ＬＯ）の１つ以上のスプリアス成分によって、前記第１の受信機の所望の信号ＩＦ帯域へとダウンコンバートされ、前記ＬＯの１つ以上のスプリアス成分は、前記第１の受信機のサンプリング周波数の高調波であり、
前記所望のサンプリング周波数を選択することは、
周波数オフセット
【数２３】
0006033833.tif 000024
における、前記ジャマーとＬＯスプリアス成分との混合積が、前記所望の信号ＩＦ帯域と実質的にオーバーラップしないスペクトルを持つように、計算またはルックアップテーブルを通して、サンプリング周波数Ｆsを決定することを含む、上記［１８］の方法。
［３１］前記所望でない信号のうちの少なくとも１つは、前記第１の受信機のローカルオシレータ（ＬＯ）の１つ以上のスプリアス成分によって、前記第１の受信機の所望の信号ＩＦ帯域へとダウンコンバートされ、前記１つ以上のＬＯのスプリアス成分は、同じ場所に配置されている第２の受信機のサンプリング周波数の高調波であり、
前記第２の受信機の所望のサンプリング周波数を選択することは、
周波数オフセット
【数２４】
0006033833.tif 000025
における、前記ジャマーとＬＯスプリアス成分との前記第１の受信機中での混合積が、前記所望の信号ＩＦ帯域と実質的にオーバーラップしないスペクトルを持つように、計算またはルックアップテーブルを通して、サンプリング周波数
【数２５】
0006033833.tif 000026
を決定することを含む、上記［１８］の方法。
［３２］前記サンプリング周波数を選択することは、前記第１の受信機が新しいチャネルに同調されるときにはいつでも実行される、上記［１８］の方法。
【図１】
0006033833.tif 000039
【図２Ａ】
0006033833.tif 000040
【図２Ｂ】
0006033833.tif 000041
【図２Ｃ】
0006033833.tif 000042
【図３】
0006033833.tif 000043
【図４】
0006033833.tif 000044
【図５】
0006033833.tif 000045
【図６】
0006033833.tif 000046
【図７Ａ】
0006033833.tif 000047
【図７Ｂ】
0006033833.tif 000048
【図７Ｃ】
0006033833.tif 000049
【図８】
0006033833.tif 000050
【図９】
0006033833.tif 000051